(57)【特許請求の範囲】
【請求項１】
熱源、ファン及び該ファンを駆動するモータを内蔵したヘアードライヤ本体の先端に設けた吐き出し口に櫛形アタッチメントが取り付けられたヘアードライヤにおいて、
前記櫛形アタッチメントは、前記吐き出し口の延在方向に設けられた板状の前面基板と、該前面基板から突出した複数本の中空円筒形状を有する櫛の歯と、を備え、
前記複数本の櫛の歯の側壁には、その中間部から先端部に亘って、櫛の歯を２つに分割するように割り溝が形成されていると共に前記櫛の歯の先端部は前記割り溝により開口していることを特徴とするヘアードライヤ。
【請求項２】
前記櫛の歯は前記前面基板の中央部分に複数列配置され、前記前面基板の前記櫛の歯の周囲は吹き出し孔で囲まれていることを特徴とする請求項１に記載のヘアードライヤ。
【請求項３】
前記複数の櫛の歯は、前記前面基板に連結した基部から前記先端部に亘って先細に形成されており、前記先端部は丸められていることを特徴とする請求項１又は２に記載のヘアードライヤ。
【請求項４】
前記櫛形アタッチメントは、前記前面基板に連結する基部を備え、該基部が前記吐き出し口に着脱可能に取り付けられることを特徴とする請求項１乃至３のいずれかに記載のヘアードライヤ。
【請求項５】
前記基部は前記前面基板の外周縁に連結する筒状体であり、前記前面基板は前記吐き出し口の開口面積よりも大きな板状体であり、前記基部は前記前面基板に連結する一端部から前記吐き出し口に取り付けられる他端部に向かって縮径されていることを特徴とする請求項４に記載のヘアードライヤ。
【発明の詳細な説明】
【技術分野】
【０００１】
この発明はヘアードライヤに係り、詳しくはヘアードライヤ本体の先端に装着する吐出ノズルの構造に関し、櫛形のアタッチメントにより毛髪の根元及びその付近の皮膚にドライヤの空気が届きやすくしたもので、毛髪の乾燥、セットのための適切な風が供給できるヘアードライヤに関する。
【背景技術】
【０００２】
従来、ヘアードライヤ、ヘアーブロッサあるいはハンドドライヤなどのヘアードライヤ類（以下これらをまとめて「へアードライヤ」という）においては、へアードライヤ本体の風の吐出し口に吐き出される熱風を絞って毛髪の乾燥、セットを行えるように吐出ノズルを設けている。しかし、単にノズルの開口面積を変化させて絞るだけでは、整風された熱風を得ることはできても、毛を梳かす場合に一方の手でドライヤを他方の手で櫛を保持して梳かさねばならない。このような点を改善する方法として、より容易に片手で整髪できるようにドライヤの風の吐き出し口に櫛形のアタッチメントを装着したヘヤードライヤが考えられていた。
【０００３】
この種のドライヤとしては、下記特許文献１に示されたものがある。これは、図９に示すように、下端開口部６３近傍にドライヤ本体５３に装着するための装着部６４を有する櫛基部５１と、この櫛基部に所定間隔で連接された複数の櫛歯７１とを備えたドライヤ装着用櫛において、櫛基部５１の内部には、ドライヤ本体からの空気が流れる流路６１が形成され、櫛歯７１には、流路から櫛歯の先端部に至る貫通孔７２が形成され、ドライヤ本体５３からの空気が櫛歯７１の先端部から長手方向外方に噴出するドライヤ装着用櫛を備えたドライヤが提供されている。
【０００４】
このドライヤ装着用櫛は、櫛歯の先端部から空気を一層勢いよく噴出させるために、貫通孔７２の断面積を、流路６１側から櫛歯の先端部に向かって連続して小さくしたり、また、ドライヤ本体からの空気を毛に広く当てるために、流路に繋がる複数の孔７３を櫛５２に設けたりしている。また櫛歯７１の先端部から噴出する空気量を均一にするために、貫通孔７２の流路側の断面積を、装着部から離れるほど大きくする。さらにまた、ドライヤ本体５３からの空気を毛髪の全体に当てるために、櫛歯７１の側面や櫛基部５１に孔を形成し、ドライヤ本体５３からの空気をこの孔から噴出させるようにしている。
【０００５】
このような櫛形アタッチメントによれば、濡れた毛を乾燥させる場合には、櫛で毛を梳かしながら櫛歯７１の先端部から噴出される温風により毛髪の根元部を中心に乾燥させることができる。加えて、毛髪の根元付近の皮膚を刺激する、あるいは毛髪の根元や皮膚に付着したゴミや埃、あるいは皮膚から分泌される臭いの元を温風により除去することもできる。
【特許文献１】実用新案登録第３０９１３３１号公報（図１、段落［００２６］〜［００２９］）
【発明の開示】
【発明が解決しようとする課題】
【０００６】
しかしながら、上記特許文献１の吐出ノズルにおいては、櫛の歯には先端に孔を設けているために櫛の歯の先端を皮膚に触れても安全な程度に十分に丸めることができず、頭皮に接触した際に頭皮を傷めるおそれがある。また、櫛の歯は先端まで通じる風の流路を形成する必要があるため太くなり、櫛としては快適とはいえない。一方、櫛の歯を細くすれば先端の開口も小さくなり、吹き出す風に対する抵抗が大きく、ファンの負荷が大きくなって効率が悪くなることに加えて、ヘアードライヤが過熱したり、風の流れに抵抗が生じ風量が減少し、風の温度が過剰に上昇して毛髪や皮膚を傷めたりするおそれがあった。
【０００７】
本願の発明者は、前記の問題点を解決すべく種々検討を行った結果、ヘアードライヤの吐出ノズルに着目し、従来円筒型であった櫛形のアタッチメントの櫛の歯に割り溝を形成することによって通常の櫛の歯に近い形状に成形するとともに吹き出す風に対する抵抗を小さくすることができることから、ファンの負荷が小さくでき、効率が良くなるとともに毛根の刺激効果を向上させることができることを見出し、本発明に至ったものである。
【０００８】
すなわち、本発明は、櫛の歯の先端を十分に丸めることができ、頭皮を傷めたりするおそれの無い櫛形のアタッチメント付きヘアードライヤを提供することを目的とするものである。
【０００９】
また、本発明は、吹き出す風に対する抵抗を小さくすることができる流路を構成し、ファンの負荷が小さくでき、効率が良く、毛根の刺激効果に優れたヘアードライヤを提供することを目的とするものである。
【課題を解決するための手段】
【００１０】
上記目的を達成するために、本願の請求項１に係るヘアードライヤの発明は、熱源、ファン及び該ファンを駆動するモータを内蔵したヘアードライヤ本体の先端に設けた吐き出し口に櫛形アタッチメントが取り付けられたヘアードライヤにおいて、前記櫛形アタッチメントは、前記吐き出し口の延在方向に設けられた板状の前面基板と、該前面基板から突出した複数本の中空円筒形状を有する櫛の歯と、を備え、前記複数本の櫛の歯の側壁には、その中間部から先端部に亘って、櫛の歯を２つに分割するように割り溝が形成されていると共に前記櫛の歯の先端部は前記割り溝により開口していることを特徴とする。
【００１１】
また、請求項２に係る発明は、請求項１に記載のヘアードライヤにおいて、前記櫛の歯は前記前面基板の中央部分に複数列配置され、前記前面基板の前記櫛の歯の周囲は吹き出し孔で囲まれていることを特徴とする。
【００１２】
また、請求項３に係る発明は、請求項１又は２に記載のヘアードライヤにおいて、前記複数の櫛の歯は、前記前面基板に連結した基部から前記先端部に亘って先細に形成されており、前記先端部は丸められていることを特徴とする。
【００１３】
また、請求項４に係る発明は、請求項１乃至３のいずれかに記載のヘアードライヤにおいて、前記櫛形アタッチメントは、前記前面基板に連結する基部を備え、該基部が前記吐き出し口に着脱可能に取り付けられることを特徴とする。
【００１４】
また、請求項５に係る発明は、請求項４に記載のヘアードライヤにおいて、前記基部は前記前面基板の外周縁に連結する筒状体であり、前記前面基板は前記吐き出し口の開口面積よりも大きな板状体であり、前記基部は前記前面基板に連結する一端部から前記吐き出し口に取り付けられる他端部に向かって縮径されていることを特徴とする。
【発明の効果】
【００１５】
本発明は上記構成を備えることにより以下に示すような優れた効果を奏する。すなわち、請求項１の発明によれば、ヘアードライヤ本体の先端に設けた吐き出し口に櫛形のアタッチメントを取り付け、櫛形アタッチメントはその櫛の歯がアタッチメントの前面基板から突出した複数の中空円筒形状の歯にこの歯を２つに分割するようにその中間部から先端に至る割り溝が形成されていると共に櫛の歯の先端部は前記割り溝により開口しているものであるので、櫛の歯の先端を十分に丸めることができ、弾力性もよく、頭皮を傷めたりするおそれが無く、かつ風の吹き出しに対する抵抗が少なく、勢いの良い快適な風が得られる。そして、毛髪の根元や頭皮に対して大きな刺激を与え、また毛髪の根元や頭皮に付着したゴミや埃、あるいは頭皮から分泌される臭いの元を除去しやすい櫛形のアタッチメント付きヘアードライヤを提供することができる。
【００１６】
請求項２の発明によれば、櫛形アタッチメントは、櫛の歯がアタッチメントの前面基板の中央部分に複数列配置され、その歯の周囲は吹き出し孔で囲まれているので、吹き出す空気に対する抵抗を小さくすることができ、ファンの負荷が小さくでき、効率が良く、毛根の刺激効果に優れた快適な送風が得られるヘヤ−ドライヤを提供できる。
【００１７】
請求項３の発明によれば、櫛形アタッチメントの櫛の歯は、中空の円筒形状の歯の途中から割り溝で分割された各部分の先端は先細に形成されているので、この歯の先端部及び割り溝から供給される温風等が勢いよく供給されるようになり、毛髪の根元付近の皮膚を刺激したり、あるいは毛髪の根元や皮膚に付着したゴミや埃、あるいは皮膚から分泌される臭いの元を除去したりすることもできるようになる。
【００１８】
請求項４の発明によれば、櫛形アタッチメントは、ヘアードライヤの吐き出し口にその基部が着脱可能に取り付けられるので、櫛の歯の配列の異なる各種のアタッチメントを容易に利用することができる。
【００１９】
請求項５の発明によれば、基部により吐き出し口の開口面積よりも大きな前面基板を有するアタッチメントを取り付けることができるので、吐き出し口からの空気を良好に外部に送り出すことができ、よりファンに負担がかかり難くなる。
【発明を実施するための最良の形態】
【００２０】
以下、図面を参照して、本発明の最良の実施形態を説明する。但し、以下に示す実施形態は、本発明の技術思想を具体化するためのヘアードライヤを例示するものであって、本発明をこれらに特定することを意図するものではなく、特許請求の範囲に含まれるその他の実施形態のものにも等しく適用し得るものである。
【実施例】
【００２１】
図１は本発明の一実施例に係るヘアードライヤの外観斜視図、図２は本発明の一実施例に係るヘアードライヤの概略側断面図、図３は図１のヘアードライヤの本体に取り付けられる櫛形アタッチメントの側面図、図４は櫛形アタッチメントの基部の正面図（ａ）、上面図（ｂ）、底面図（ｃ）及び側断面図（ｄ）、図５は櫛形アタッチメントの前面基板上面図、図６は前面基板の斜め下方から見た内部を示す斜視図、図７は前面基板の底面図、図８は前面基板の側断面図である。
【００２２】
図１に示すヘアードライヤ１は、熱源、ファン及びファンを駆動するモータを内蔵したヘアードライヤ本体１１の先端に設けた吹き出し口に櫛形のアタッチメント１６を取り付けたものである。ヘヤードライヤ１は、筒型をした本体１１と本体の下面の後端部近くに取り付けられたハンドル１２を備えている。ハンドル１２は、ケース１３の下面から突出した保持部を支点にして軸支され、折りたたみ可能に本体１１に取り付けられている。ハンドル１２には電源スイッチ１４が設けてあり、この電源スイッチ１４は圧電素子１４ａ等を操作するようになっている。
【００２３】
このヘアードライヤ１のケース１３は、図２に示すように、前の部分１３ａと後の部分１３ｂ、後部カバー１５及び櫛形のアタッチメント１６から構成されている。このケース１３の前の部分１３ａと後の部分１３ｂ及び櫛形のアタッチメント１６は、ポリカーボネートや耐熱性ＡＢＳ樹脂等の耐熱性プラスチックスの成型品により構成される。また、前の部分１３ａは縦断面の輪郭が前方に向けやや先細になった略円筒形である。後の部分１３ｂは短い円筒状で前の部分１３ａに突き合わせて接合されている。本体１１の後端、すなわちケース１３の後の部分１３ｂの後端は外気を導入するための複数の孔を設けた吸気口からなる後部カバー１５であり、多数の蜂の巣状の孔を備えた金属板が円形ドーム形状をなして取り付けられている。ケース１３の前の部分１３ａの前端開口部は風の吹き出し口となっており、そこに櫛形のアタッチメント１６が着脱自在に取り付けられている。
【００２４】
この本体１１のケース１３の内部には、図２に示したように、熱風発生室１７を配置している。すなわち、円筒形に形成された熱風発生室１７は、その外壁１７ａの中に絶縁外筒１７ｂが配置され、熱風発生室１７の先端の外部へ熱風を吹き出す位置に吹き出しグリル２１が取り付けられ、絶縁外筒１７ｂの内部にニクロム線などの熱源１８を、さらに熱源１８の後方には風を送るファンモータ１９を収納し、その後に送風室２０を設け、この送風室２０内には、モータ１９に連結されたファン２０ａが配設されている。この送風室２０内のファン２０ａにより、後部カバー１５の吸気口から取り込んだ空気を熱風発生室１７に送りこむ。
【００２５】
熱風発生室１７には複数枚のマイカ放熱板２２が、モータ１９を収納する絶縁筒２３から前部にかけて放射状に等間隔でヘアードライヤ本体１１の軸方向に沿って配置して設けられ、この各放熱板２２の外縁をつなぐようにニクロム線など（図示せず）が熱源１８として巻かれている。モータ１９に連結された送風室２０内のファン２０ａの風は、放熱板２２の間を前方の櫛形のアタッチメント１６に向かって送られる。熱風発生室１７の外壁１７ａは、アルミニウム、亜鉛鍍鋼板、ステンレススチールなどで作られ、基本形体は図２に縦断面で示したように、熱風発生室１７の縦方向に対して直角な複数の波形の凹凸を持つように成形されている。なお、熱風発生室１７の先端部には、ヘアードライヤ本体１１の先端から櫛形のアタッチメント１６内に突出するイオン発生のための放電装置が設けられている。
【００２６】
熱風発生室１７には放熱板２２、熱源１８及びモータ１９が、送風室２０にはファン２０ａ等が組み込まれ、これらは本体１１のケース１３によって一体とされている。ケース１３の前の部分１３ａにケースの後の部分１３ｂを突合せ接合するとき、前の部分１３ａの内部に熱源１８とモータ１９とを前後に配して収納するが、この収納に際しては、あらかじめこれら熱源１８及びモータ１９に、絶縁外筒１７ｂとアルミニウムやステンレススチールなどのような熱線を反射しやすい光沢や明色性に優れる金属製であって遮熱手段となる熱風発生室の外壁１７ａをかぶせて、ケースの後の部分１３ｂに送風室２０を収め、前の部分１３ａの後方から熱風発生室１７ごと挿入する。
【００２７】
モータ１９に連結されたファン２０ａは、熱風発生室１７の後側に配置される送風室２０のファン保持筒に嵌め合されている。モータ１９は、前端部が熱風発生室１７の内部に配置される熱源保持用の形状に形成した絶縁筒２３の内部に嵌め合わされている。その絶縁筒２３の外周から放射状に張り出した複数の放熱板２２の外周に熱源のヒータが巻きつけられている。またヒータの外周は放熱板２２同士をつなぐように絶縁筒２３に対し同心円状に一体化されたマイカシートのような絶縁外筒１７ｂに囲まれ、絶縁外筒１７ｂが熱風発生室の外壁１７ａの内面に挿入され嵌め合わされている。
【００２８】
ヘアードライヤ本体１１のケース１３は、透明又は半透明であったり、不透明であったり、任意の色に着色されていることもあり、また模様が施されることもある。また、熱風発生室１７の外壁１７ａとケース１３との間に生じた空間は、そこに確保した空気層による遮熱効果を生む。
【００２９】
次に、櫛形のアタッチメント１６について説明する。図３は櫛形のアタッチメントの側面図であり、基部１６ａ、前面基板１６ｂ、前面基板から突出する櫛の歯１６ｃを備えている。図４はアタッチメントの基部１６ａの構造を説明する三面図であり、図４（ａ）は正面図、図４（ｂ）は上面図、図４（ｃ）は背面図、図４（ｄ）は側断面図である。
【００３０】
図３と図４に示したように、ケース１３の先端に着脱自在に嵌めこまれる櫛形アタッチメント１６の基部１６ａは、その背面は取り付けられる本体ケースの前の部分１３ａの先端に対応して円形の取付け部を備え、正面は前面基板１６ｂをはめ込む楕円形となるように変形した扁平な円筒形に形成される。櫛形アタッチメント１６は、ドライヤ本体１１の吐き出し口にその基部１６ａが着脱可能な取り付け手段１６ｇによって保持される。この取り付け手段１６ｇは、図示のものは吐き出し口に嵌め合わせてねじることにより係合し固定されるようになっているが、ドライヤ本体１１にアタッチメントを着脱自在に装着できるものであれば特に限定はなく、従来公知のものを用いることができる。
【００３１】
図５乃至図８は、櫛形アタッチメント１６の前面基板１６ｂと櫛の歯１６ｃを示す図である。これらの図に示されているように、前面基板１６ｂから複数の中空の櫛の歯１６ｃが突出しており、この櫛の歯１６ｃは前面基板に連続する中空円筒形状の歯の基部１６ｈを残して、分割するように歯の途中から先端に至る割り溝１６ｅが設けられている。このように先端まで割り溝１６ｅがあって分割された形態のため、櫛の歯１６ｃは弾力性があり、また、割り溝１６ｅで分割された各部分の先端部１６ｆが先細に形成されていて、先端は丸く滑らかに仕上げることができるので、肌をいためることなく、櫛としても、使い心地のよいものが得られる。
【００３２】
櫛形アタッチメント１６は、このような櫛の歯１６ｃが前面基板１６ｂの中央部分に所定間隔で複数列（図では３列）配置され、歯１６ｃの周囲にはさまざまな形の風の吹き出し孔１６ｄが形成されている。前面基板１６ｂから突出する複数本の櫛の歯１６ｃの中空円筒部分から吹き出す風は、櫛の歯１６ｃに沿って流れ、櫛の歯の先端部１６ｆから髪の毛の根元に吹き付けられるとともに、割り溝１６ｅから側方向に吹き出し毛髪を乾燥させる。櫛の歯１６ｃの先端には妨害するものがなく風は滑らかに流れる。歯１６ｃの基部周囲に設けた風の吹き出し孔１６ｄもあって、風の吹き出しに対する抵抗は少ないので、ファン２０ａに対する負荷は比較的小さく、風量の損失は少ない。
【００３３】
櫛の歯１６ｃの本数、立設する間隔および長さについては特に限定されるものではない。しかしながら、本数はあまりに少ないと効果がないので、所望の効果のある数を選べばよい。また立設する間隔は、毛を梳かす作用が得られる範囲において適宜決定すればよい。長さについても、毛髪を梳かす作用を達成する限り特に限定はなく、一種類の長さ、大きさの歯だけでなく二種類以上の長さ大きさの歯を混ぜてもよく、それによって風の流れに変化が与えられる。前面基板１６ｂと櫛の歯１６ｃは、アタッチメント基部１６ａとは別体に成形した後、アタッチメント基部１６ａに固着するのが容易であるが、アタッチメント基部１６ａと一体に成形してもよい。
【００３４】
一実施例の寸法を挙げると、長径が８３．４０ｃｍ、短径が６５．０４ｍｍである前面基板の中央部に長径に沿って５本１列の歯を設け、これを挟み４本２列、計３列１３本の歯を立設し、歯の長さはアタッチメント基部から６９．６６ｍｍ、切り溝の長さは先端から３８．２３ｍｍの、先端部分を同じ高さに揃えた断面図が図８のような櫛形アタッチメントは、ドライヤの温風の吹き出しも、櫛としての作用も良好であった。
【００３５】
櫛形アタッチメント１６の基部１６ａ内には、ドライヤ先端の吐き出し口から櫛の歯基部１６ｈの開口及び櫛の歯周囲の風の吹き出し孔１６ｄに連続する風の流路が形成される。一方、櫛の歯１６ｃには、その途中から先端部に至る割り溝１６ｅが形成され、流路に連通する貫通孔となっている。このような構成の櫛型アタッチメント１６においては、ドライヤ本体１１から供給された空気は、流路を通り櫛形アタッチメントの前面基板１６ｂ側で櫛の歯１６ｃ周辺の風の吹き出し孔１６ｄから流出するとともに、前面基板１６ｂに設けた各櫛の歯１６ｃの基部１６ｈの貫通孔を通って、各歯の先端部１６ｆから櫛の歯の長手方向外方に噴出する。
【００３６】
このようなドライヤによれば、例えば濡れた毛髪を乾燥させる場合には、櫛で毛髪を梳かしながら櫛の歯の先端部から噴出される温風により毛髪の根元部を中心に乾燥させることができる。加えて、毛髪の根元付近の皮膚を刺激したり、あるいは毛髪の根元や皮膚に付着したゴミや埃、あるいは皮膚から分泌される臭いの元を除去したりすることもできる。なお、毛髪の根元や頭部の皮膚に対して刺激を与え、また毛髪の根元や皮膚に付着したゴミや埃または皮膚から分泌される臭いを除去するためには、ドライヤ本体１１からの空気供給量を増加させ、あるいは櫛の歯の先端部１６ｆから噴出する空気速度を速くすればよく、このためには、櫛の歯に形成する貫通孔の断面積を櫛の歯の先端部に向かって連続的に小さくすればよい。なお、ドライヤ本体１１から供給される空気には、温風、冷風のみならずマイナスイオンやスチームを含むものであってもよい。
【００３７】
このように櫛の歯１６ｃが、風の吹き出し方向と同軸方向に配列されていてかつその割り溝１６ｅによって空気の流れを妨げることが少ないので、ファン２０ａに与える負荷が少なくてすむ。櫛の歯１６ｃによって熱風発生室１７からの風に整流効果が得られ、櫛の歯１６ｃから吹き出す風に勢いを与えることができるので、快適な風が得られ、弾力ある櫛の歯で梳かしながら毛髪の乾燥やセットが容易に行える使いやすいヘヤ−ドライヤを提供できる。
【００３８】
櫛形のアタッチメント１６の成形加工は、透明あるいは不透明な耐熱性プラスチックスの成形により形成するので、その製造は容易である。耐熱性プラスチックスの場合は、材質としては特に限定はないが、従来公知の材料を用いることができる。このような材料としては、例えばポリカーボネートや耐熱性ＡＢＳ樹脂等の耐熱性プラスチックスがあり、それらの成型品により櫛形のアタッチメント１６を構成することができる。
【００３９】
以上には、電熱式のヘアードライヤを例として説明したが、本発明の櫛形アタッチメントはヘアードライヤの構造や熱源の形式を限定するものではない。すなわち電熱式に限らず、他の加熱方式のヘアードライヤにも適用できるものである。
【図面の簡単な説明】
【００４０】
【図１】図１は本発明の一実施例に係るヘアードライヤの外観斜視図、
【図２】図２は本発明の一実施例に係るヘアードライヤの概略側断面図、
【図３】図３は図１のヘアードライヤの本体に取り付けられる櫛形アタッチメントの側面図、
【図４】図４は櫛形アタッチメントの基部の正面図（ａ）、上面図（ｂ）、底面図（ｃ）及び側断面図（ｄ）、
【図５】図５は櫛形アタッチメントの前面基板上面図、
【図６】図６は前面基板の斜め下方から見た内部を示す斜視図、
【図７】図７は前面基板の底面図、
【図８】図８は前面基板の側断面図、
【図９】図９は従来のヘアードライヤの断面図。
【符号の説明】
【００４１】
１        ヘアードライヤ
１１      ドライヤ本体
１２      ハンドル
１３      ケース
１４      電源スイッチ
１５      後部カバー
１６      櫛形アタッチメント
１６ａ    基部
１６ｂ    前面基板
１６ｃ    櫛の歯
１６ｄ    吹き出し孔
１６ｅ    割り溝
１６ｆ    歯の先端部
１６ｇ    取り付け手段
１６ｈ    歯の基部
１７      熱風発生室
１８      熱源
１９      ファンモータ
２０      送風室
２０ａ    ファン
２１      吹き出しグリル
２２      放熱板
２３      絶縁筒
【図１】
0004663466.tif 000002
【図２】
0004663466.tif 000003
【図３】
0004663466.tif 000004
【図４】
0004663466.tif 000005
【図５】
0004663466.tif 000006
【図６】
0004663466.tif 000007
【図７】
0004663466.tif 000008
【図８】
0004663466.tif 000009
【図９】
0004663466.tif 000010